(57)【要約】【課題】  タッチパネルの機能を担いつつ薄型化を図ることが可能な有機薄膜太陽電池モジュールおよび電子機器を提供すること。【解決手段】  主面４１０を有する透明な支持基板４１と、支持基板４１の主面４１０に積層された透明な第１導電層１と、第２導電層２と、第１導電層１および第２導電層２に挟まれた有機薄膜からなる光電変換層３と、第２導電層２を覆うパッシベーション層４２と、を備える有機薄膜太陽電池モジュールＡ１であって、第１導電層１と離間し且つ支持基板４１の主面４１０のうち第１導電層１、第２導電層２および光電変換層３と重ならない部分に積層された第１検出導電層第１検出導電層１０１０を備える。【選択図】  図４
2017220481.tif 000002
【特許請求の範囲】
【請求項１】
主面を有する透明な支持基板と、
前記支持基板の前記主面に積層された透明な第１導電層と、
第２導電層と、
前記第１導電層および前記第２導電層に挟まれた有機薄膜からなる光電変換層と、
前記第２導電層を覆うパッシベーション層と、
を備える有機薄膜太陽電池モジュールであって、
前記第１導電層と離間し且つ前記支持基板の前記主面のうち前記第１導電層、前記第２導電層および前記光電変換層と重ならない部分に積層された第１検出導電層を備えることを特徴とする、有機薄膜太陽電池モジュール。
【請求項２】
前記第１検出導電層の材質は、前記第１導電層の材質と同一である、請求項１に記載の有機薄膜太陽電池モジュール。
【請求項３】
前記第１検出導電層は、前記支持基板の厚さ方向と直角である第１方向に互いに離間配置され且つ前記支持基板の厚さ方向および前記第１方向のいずれとも直角である第２方向に各々が延びる複数の第１枝部を含む、請求項１または２に記載の有機薄膜太陽電池モジュール。
【請求項４】
前記第１検出導電層と導通し且つ前記パッシベーション層に対して前記支持基板とは反対側に配置された第１検出バイパス導電部を備える、請求項３に記載の有機薄膜太陽電池モジュール。
【請求項５】
前記第１検出バイパス導電部は、Ａｇまたはカーボンを含む、請求項４に記載の有機薄膜太陽電池モジュール。
【請求項６】
前記支持基板の厚さ方向視において前記第１検出導電層と重なり且つ前記第１検出導電層と絶縁された第２検出導電層を備える、請求項４または５に記載の有機薄膜太陽電池モジュール。
【請求項７】
前記第２検出導電層は、ＩＴＯからなる、請求項６に記載の有機薄膜太陽電池モジュール。
【請求項８】
前記第２検出導電層は、前記第２方向に互いに離間配置され且つ前記第１方向に各々が延びる複数の第２枝部を含む、請求項６または７に記載の有機薄膜太陽電池モジュール。
【請求項９】
前記第２検出導電層と導通し且つ前記第１検出バイパス導電部と絶縁された第２検出バイパス導電部を備える、請求項８に記載の有機薄膜太陽電池モジュール。
【請求項１０】
前記第２検出バイパス導電部は、Ａｇまたはカーボンを含む、請求項９に記載の有機薄膜太陽電池モジュール。
【請求項１１】
前記支持基板の前記主面と同じ側を向く第２主面を有する透明な第２支持基板を備え、
前記第２検出導電層は、前記第２主面に積層されている、請求項９または１０に記載の有機薄膜太陽電池モジュール。
【請求項１２】
前記第２支持基板は、透明である、請求項１１に記載の有機薄膜太陽電池モジュール。
【請求項１３】
前記第２検出バイパス導電部は、前記第２主面に積層されている、請求項１１または１２に記載の有機薄膜太陽電池モジュール。
【請求項１４】
前記第２支持基板を前記支持基板に対して固定する接合層をさらに備える、請求項１３に記載の有機薄膜太陽電池モジュール。
【請求項１５】
前記接合層は、透明である、請求項１４に記載の有機薄膜太陽電池モジュール。
【請求項１６】
前記第１検出導電層を覆い且つ前記主面と同じ側を向く絶縁層主面を有する絶縁層を備え、
前記第２検出導電層は、前記絶縁層主面に積層されている、請求項９または１０に記載の有機薄膜太陽電池モジュール。
【請求項１７】
前記絶縁層は、透明である、請求項１６に記載の有機薄膜太陽電池モジュール。
【請求項１８】
前記第２検出バイパス導電部は、前記絶縁層主面に積層されている、請求項１６または１７に記載の有機薄膜太陽電池モジュール。
【請求項１９】
前記第１導電層は、前記支持基板の厚さ方向視において前記第１検出導電層を囲む第３端縁を有する、請求項９ないし１８のいずれかに記載の有機薄膜太陽電池モジュール。
【請求項２０】
前記第３端縁は、前記支持基板の厚さ方向視において矩形状である、請求項１９に記載の有機薄膜太陽電池モジュール。
【請求項２１】
前記第３端縁のすべての辺は、前記第１方向および前記第２方向のいずれかに対して平行である、請求項２０に記載の有機薄膜太陽電池モジュール。
【請求項２２】
前記第１導電層は、ＩＴＯからなる、請求項１ないし２１のいずれかに記載の有機薄膜太陽電池モジュール。
【請求項２３】
前記第１検出導電層は、ＩＴＯからなる、請求項１ないし２２のいずれかに記載の有機薄膜太陽電池モジュール。
【請求項２４】
前記第２導電層は、金属からなる、請求項１ないし２３のいずれかに記載の有機薄膜太陽電池モジュール。
【請求項２５】
前記第２導電層は、Ａｌからなる、請求項２４に記載の有機薄膜太陽電池モジュール。
【請求項２６】
前記パッシベーション層は、ＳｉＮからなる、請求項１ないし２５のいずれかに記載の有機薄膜太陽電池モジュール。
【請求項２７】
請求項１ないし２６のいずれかに記載の前記有機薄膜太陽電池モジュールと、
前記有機薄膜太陽電池モジュールからの給電によって駆動する駆動部と、
表示部と、
前記第１検出導電層を用いた操作指示物体の検出制御を行う制御部と、
を備えることを特徴とする、電子機器。
【発明の詳細な説明】
【技術分野】
【０００１】
本発明は、有機薄膜太陽電池モジュールおよび電子機器に関する。
【背景技術】
【０００２】
太陽電池は、太陽光をはじめとする光を電力に変換する光電変換機能を備えており、いわゆる再生可能エネルギーを利用した発電手段として開発が進められている。有機薄膜太陽電池は、太陽電池の一種である。特許文献１には、有機薄膜からなる光電変換層と、この光電変換層を挟む第１導電層および第２導電層を備える構成が開示されている。第１導電層は、たとえばＩＴＯなどの透明導電層とされている。また、同文献においては、第１導電層、第２導電層および光電変換層を保護するパッシベーション層が設けられている。
【０００３】
有機薄膜太陽電池モジュールが用いられる電子機器として、たとえば携帯型電話機が挙げられる。近年の携帯型電話機の操作入力には、いわゆる静電容量型のタッチパネルが一般的に用いられている。携帯型電話機に、有機薄膜太陽電池モジュールとタッチパネルとを備える場合、たとえば厚さ方向寸法が大きくなってしまうという問題がある。
【先行技術文献】
【特許文献】
【０００４】
【特許文献１】特開２０１４−１９２１９６号公報
【発明の概要】
【発明が解決しようとする課題】
【０００５】
本発明は、上記した事情のもとで考え出されたものであって、タッチパネルの機能を担いつつ薄型化を図ることが可能な有機薄膜太陽電池モジュールおよび電子機器を提供することをその課題とする。
【課題を解決するための手段】
【０００６】
本発明の第１の側面によって提供される有機薄膜太陽電池モジュールは、主面を有する透明な支持基板と、前記支持基板の前記主面に積層された透明な第１導電層と、第２導電層と、前記第１導電層および前記第２導電層に挟まれた有機薄膜からなる光電変換層と、前記第２導電層を覆うパッシベーション層と、を備える有機薄膜太陽電池モジュールであって、前記第１導電層と離間し且つ前記支持基板の前記主面のうち前記第１導電層、前記第２導電層および前記光電変換層と重ならない部分に積層された第１検出導電層を備えることを特徴としている。
【０００７】
本発明の好ましい実施の形態においては、前記第１検出導電層の材質は、前記第１導電層の材質と同一である。
【０００８】
本発明の好ましい実施の形態においては、前記第１検出導電層は、前記支持基板の厚さ方向と直角である第１方向に互いに離間配置され且つ前記支持基板の厚さ方向および前記第１方向のいずれとも直角である第２方向に各々が延びる複数の第１枝部を含む。
【０００９】
本発明の好ましい実施の形態においては、前記第１検出導電層と導通し且つ前記パッシベーション層に対して前記支持基板とは反対側に配置された第１検出バイパス導電部を備える。
【００１０】
本発明の好ましい実施の形態においては、前記第１検出バイパス導電部は、Ａｇまたはカーボンを含む。
【００１１】
本発明の好ましい実施の形態においては、前記支持基板の厚さ方向視において前記第１検出導電層と重なり且つ前記第１検出導電層と絶縁された第２検出導電層を備える。
【００１２】
本発明の好ましい実施の形態においては、前記第２検出導電層は、ＩＴＯからなる。
【００１３】
本発明の好ましい実施の形態においては、前記第２検出導電層は、前記第２方向に互いに離間配置され且つ前記第１方向に各々が延びる複数の第２枝部を含む。
【００１４】
本発明の好ましい実施の形態においては、前記第２検出導電層と導通し且つ前記第１検出バイパス導電部と絶縁された第２検出バイパス導電部を備える。
【００１５】
本発明の好ましい実施の形態においては、前記第２検出バイパス導電部は、Ａｇまたはカーボンを含む。
【００１６】
本発明の好ましい実施の形態においては、前記支持基板の前記主面と同じ側を向く第２主面を有する透明な第２支持基板を備え、前記第２検出導電層は、前記第２主面に積層されている。
【００１７】
本発明の好ましい実施の形態においては、前記第２支持基板は、透明である。
【００１８】
本発明の好ましい実施の形態においては、前記第２検出バイパス導電部は、前記第２主面に積層されている。
【００１９】
本発明の好ましい実施の形態においては、前記第２支持基板を前記支持基板に対して固定する接合層をさらに備える。
【００２０】
本発明の好ましい実施の形態においては、前記接合層は、透明である。
【００２１】
本発明の好ましい実施の形態においては、前記第１検出導電層を覆い且つ前記主面と同じ側を向く絶縁層主面を有する絶縁層を備え、前記第２検出導電層は、前記絶縁層主面に積層されている。
【００２２】
本発明の好ましい実施の形態においては、前記絶縁層は、透明である。
【００２３】
本発明の好ましい実施の形態においては、前記第２検出バイパス導電部は、前記絶縁層主面に積層されている。
【００２４】
本発明の好ましい実施の形態においては、前記第１導電層は、前記支持基板の厚さ方向視において前記第１検出導電層を囲む第３端縁を有する。
【００２５】
本発明の好ましい実施の形態においては、前記第３端縁は、前記支持基板の厚さ方向視において矩形状である。
【００２６】
本発明の好ましい実施の形態においては、前記第３端縁のすべての辺は、前記第１方向および前記第２方向のいずれかに対して平行である。
【００２７】
本発明の好ましい実施の形態においては、前記第１導電層は、ＩＴＯからなる。
【００２８】
本発明の好ましい実施の形態においては、前記第１検出導電層は、ＩＴＯからなる。
【００２９】
本発明の好ましい実施の形態においては、前記第２導電層は、金属からなる。
【００３０】
本発明の好ましい実施の形態においては、前記第２導電層は、Ａｌからなる。
【００３１】
本発明の好ましい実施の形態においては、前記パッシベーション層は、ＳｉＮからなる。
【００３２】
本発明の第２の側面によって提供される電子機器は、本発明の第１の側面によって提供される前記有機薄膜太陽電池モジュールと、前記有機薄膜太陽電池モジュールからの給電によって駆動する駆動部と、表示部と、前記第１検出導電層を用いた操作指示物体の検出制御を行う制御部と、を備えることを特徴としている。
【発明の効果】
【００３３】
本発明によれば、タッチパネルの機能を担いつつ薄型化を図ることができる。
【００３４】
本発明のその他の特徴および利点は、添付図面を参照して以下に行う詳細な説明によって、より明らかとなろう。
【図面の簡単な説明】
【００３５】
【図１】本発明の第１実施形態に基づく有機薄膜太陽電池モジュールおよびこれを用いた電子機器を示す平面図である。
【図２】図１のＩＩ−ＩＩ線に沿う模式的な断面図である。
【図３】本発明の第１実施形態に基づく有機薄膜太陽電池モジュール示す要部拡大底面図である。
【図４】図３のＩＶ−ＩＶ線に沿う要部拡大断面図である。
【図５】図１のＶ−Ｖ線に沿う要部拡大断面図である。
【図６】図１の電子機器を示すシステム構成図である。
【図７】本発明の第１実施形態に基づく有機薄膜太陽電池モジュールを示す要部分解斜視図である。
【図８】本発明の第１実施形態に基づく有機薄膜太陽電池モジュールの第１導電層および第１検出導電層を示す平面図である。
【図９】本発明の第１実施形態に基づく有機薄膜太陽電池モジュールの光電変換層を示す平面図である。
【図１０】本発明の第１実施形態に基づく有機薄膜太陽電池モジュールの第２導電層を示す平面図である。
【図１１】本発明の第１実施形態に基づく有機薄膜太陽電池モジュールの保護樹脂層およびバイパス導電部を示す底面図である。
【図１２】本発明の第１実施形態に基づく有機薄膜太陽電池モジュールの保護樹脂層および第１検出バイパス導電部を示す平面図である。
【図１３】本発明の第１実施形態に基づく有機薄膜太陽電池モジュールの製造方法を示す要部拡大断面図である。
【図１４】本発明の第１実施形態に基づく有機薄膜太陽電池モジュールの製造方法を示す要部拡大断面図である。
【図１５】本発明の第１実施形態に基づく有機薄膜太陽電池モジュールの製造方法を示す要部拡大底面図である。
【図１６】本発明の第１実施形態に基づく有機薄膜太陽電池モジュールの製造方法を示す要部拡大断面図である。
【図１７】本発明の第１実施形態に基づく有機薄膜太陽電池モジュールの製造方法を示す要部拡大断面図である。
【図１８】本発明の第１実施形態に基づく有機薄膜太陽電池モジュールの製造方法を示す要部拡大底面図である。
【図１９】本発明の第１実施形態に基づく有機薄膜太陽電池モジュールの製造方法を示す要部拡大断面図である。
【図２０】本発明の第１実施形態に基づく有機薄膜太陽電池モジュールの製造方法を示す要部拡大断面図である。
【図２１】本発明の第１実施形態に基づく有機薄膜太陽電池モジュールの製造方法を示す要部拡大断面図である。
【図２２】本発明の第１実施形態に基づく有機薄膜太陽電池モジュールの製造方法を示す要部拡大断面図である。
【図２３】本発明の第１実施形態に基づく有機薄膜太陽電池モジュールの製造方法を示す要部拡大断面図である。
【図２４】本発明の第１実施形態に基づく有機薄膜太陽電池モジュールの製造方法を示す要部拡大底面図である。
【図２５】本発明の第１実施形態に基づく有機薄膜太陽電池モジュールの製造方法を示す要部拡大断面図である。
【図２６】本発明の第１実施形態に基づく有機薄膜太陽電池モジュールの製造方法を示す要部拡大断面図である。
【図２７】本発明の第２実施形態に基づく有機薄膜太陽電池モジュールを示す要部拡大断面図である。
【図２８】本発明の第３実施形態に基づく有機薄膜太陽電池モジュールを示す要部拡大断面図である。
【発明を実施するための形態】
【００３６】
以下、本発明の好ましい実施の形態につき、図面を参照して具体的に説明する。
【００３７】
本発明において、「透明」とは、透過率が約５０％以上であるものと定義する。また「透明」とは、可視光線に対して、無色透明という意味でも使用する。可視光線は波長約３６０ｎｍ〜８３０ｎｍ程度、エネルギー約３．４５ｅＶ〜１．４９ｅＶ程度に相当し、この領域で透過率が５０％以上あれば透明である。
【００３８】
図１〜図６は、本発明の第１実施形態に基づく電子機器および本発明の第１実施形態に基づく有機薄膜太陽電池モジュールを示している。本実施形態の電子機器Ｂ１は、有機薄膜太陽電池モジュールＡ１、ケース６１、制御部７０１、表示部７０２、入力部７０３、マイク７０４、スピーカ７０５、無線通信部７０６およびバッテリ７０７を備えており、携帯型電話端末として構成されている。
【００３９】
ケース６１は、電子機器Ｂ１のその他の構成要素を収容するものであり、金属、樹脂、ガラスなどの材質からなる。
【００４０】
図１は、有機薄膜太陽電池モジュールＡ１およびこれを用いた電子機器Ｂ１を示す平面図である。図２は、図１のＩＩ−ＩＩ線に沿う模式的な断面図である。図３は、有機薄膜太陽電池モジュールＡ１を示す要部拡大底面図である。図４は、図３のＩＶ−ＩＶ線に沿う要部拡大断面図である。図５は、図１のＶ−Ｖ線に沿う要部拡大断面図である。図６は、電子機器Ｂ１を示すシステム構成図である。なお、図２においては、理解の便宜上、ケース６１、有機薄膜太陽電池モジュールＡ１、有機薄膜太陽電池モジュールＡ２、制御部７０１、表示部７０２、入力部７０３およびバッテリ７０７のみを模式的に示している。また、図３においては、理解の便宜上、第１導電層１および光電変換層３のみを実践で表しており、バイパス導電部５を想像線で示している。また、これらの図において、ｚ方向は、厚さ方向であり、ｙ方向は、第１方向に相当し、ｘ方向は、第２方向に相当する。
【００４１】
有機薄膜太陽電池モジュールＡ１は、電子機器Ｂ１における電源モジュールであり、太陽光などの光を電力に変換する。具体的構成は、後述する。
【００４２】
制御部７０１は、有機薄膜太陽電池モジュールＡ１の第１検出導電層１０１０および入力部７０３の第２検出導電層１０２０を用いた、指等の操作指示物体のｘ方向およびｙ方向における位置検出制御処理を行う。また、制御部７０１は、本発明でいう駆動部の一例を兼ねており、有機薄膜太陽電池モジュールＡ１からの給電によって駆動する。なお、制御部７０１は、有機薄膜太陽電池モジュールＡ１から直接給電されてもよいし、有機薄膜太陽電池モジュールＡ１からの電力がバッテリ７０７に一旦充電された後に、このバッテリ７０７からの給電によって駆動されてもよい。制御部７０１は、たとえばＣＰＵ、メモリおよびインターフェースなどを具備して構成されている。
【００４３】
表示部７０２は、各種の情報を電子機器Ｂ１の外観に表示するためのものである。表示部７０２は、たとえば液晶表示パネルあるいは有機ＥＬ表示パネルなどである。本実施形態においては、表示部７０２は、有機薄膜太陽電池モジュールＡ１を透して外観に情報を表す。
【００４４】
入力部７０３は、使用者の操作を電気信号として制御部７０１に出力するためのものである。入力部７０３は、たとえば表示部７０２に積層された静電容量型のタッチパネルである。入力部７０３は、操作指示物体の一例である指先のｘ方向における位置を検出するためのものである。なお、表示部７０２と入力部７０３とが一体的に構成されていてもよい。
【００４５】
本実施形態の入力部７０３は、第２支持基板４０２、第２検出導電層１０２０および第２検出バイパス導電部５０２０を有する。第２支持基板４０２は、たとえば透明なガラスあるいは樹脂からなる。第２支持基板４０２は、第２主面４０２０を有する。第２主面４０２０は、第２支持基板４０２のｚ方向一方側を向く平面である。
【００４６】
第２検出導電層１０２０は、第２支持基板４０２の第２主面４０２０上に形成されている。第２検出導電層１０２０は、透明な導電性材料からなり、たとえばＩＴＯからなる。第３内方退避端縁１０２は、ｚ方向視において表示部７０２と重なる領域に設けられている。第２検出導電層１０２０は、複数の第２枝部１０２１を有する。複数の第２枝部１０２１は、ｘ方向に互いに離間配置されており、各々がｙ方向に沿って延びている。すなわち、第２枝部１０２１は、第３端縁１０１のｙ方向に沿う二辺に平行である。図示された例においては、第２枝部１０２１は、一定幅の帯状であるが、第２枝部１０２１の形状は特に限定されず、たとえば複数の菱型部分が連結された形状であってもよい。
【００４７】
図４および図５に示すように、第２検出バイパス導電部５０２０は、第２支持基板４０２の第２主面４０２０に形成されている。第２検出バイパス導電部５０２０は、第２検出導電層１０２０の複数の第２枝部１０２１に導通している。第２検出バイパス導電部５０２０は、導電性材料からなり、たとえばＡｇまたはカーボンを含む。第２検出バイパス導電部５０２０の端部は、電子機器Ｂ１の電気的な接続部分と接続される端子部を構成する。第２検出バイパス導電部５０２０は、ｚ方向視において表示部７０２とは重ならない領域に設けられている。
【００４８】
マイク７０４は、使用者の音声を電気信号に変換するデバイスである。スピーカ７０５は、通話相手の音声や各種の通知音などを出力するデバイスである。
【００４９】
無線通信部７０６は、無線通信規格に準拠した双方向無線通信を行うデバイスである。
【００５０】
バッテリ７０７は、電子機器Ｂ１を駆動する電力を蓄えるデバイスである。バッテリ７０７は、充放電が適宜可能に構成されている。バッテリ７０７の充電は、図示しないアダプタを用いた商用電力からの給電、または有機薄膜太陽電池モジュールＡ１からの給電によってなされる。
【００５１】
有機薄膜太陽電池モジュールＡ１は、第１導電層１、第２導電層２、光電変換層３、支持基板４１、パッシベーション層４２、保護樹脂層４、バイパス導電部５、第１検出導電層１０１０および第１検出バイパス導電部５０１０を備えている。本実施形態においては、有機薄膜太陽電池モジュールＡ１は、平面視略矩形状とされているが、これは一例であり、それぞれは様々な形状とされうる。
【００５２】
図７は、有機薄膜太陽電池モジュールＡ１のうち第１導電層１、第１検出導電層１０１０、第２導電層２、光電変換層３、支持基板４１および保護樹脂層４を示す要部分解斜視図である。なお、理解の便宜上,支持基板４１は想像線（二点鎖線）で示している。図８は、有機薄膜太陽電池モジュールＡ１の第１導電層１および第１検出導電層１０１０を示す平面図である。図９は、有機薄膜太陽電池モジュールＡ１の光電変換層３を示す平面図である。図１０は、有機薄膜太陽電池モジュールＡ１の第２導電層２を示す平面図である。図１１は、有機薄膜太陽電池モジュールＡ１の保護樹脂層４の後述する第１保護樹脂層４５、保護樹脂層４５Ａおよびバイパス導電部５を示す底面図である。図１２は、有機薄膜太陽電池モジュールＡ１の保護樹脂層４の後述する第２保護樹脂層４６および第１検出バイパス導電部５０１０を示す平面図である。なお、図１２においては、理解の便宜上、第１検出導電層１０１０を想像線によって示している。
【００５３】
支持基板４１は、有機薄膜太陽電池モジュールＡ１の土台となる部材である。支持基板４１は、たとえば透明なガラスあるいは樹脂からなる。支持基板４１の厚さは、たとえば０．０５ｍｍ〜２．０ｍｍである。支持基板４１は、主面４１０を有する。主面４１０は、支持基板４１のｚ方向一方側を向く平面である。
【００５４】
第１導電層１は、支持基板４１の主面４１０上に形成されている。第１導電層１は、透明であり、本実施形態においてはＩＴＯからなる。図４、図５および図８に示すように、第１導電層１は、第１電極部１１、接続部１３、スリット１７、表示用開口１８１、開口１８、スリット１９３、第３端縁１０１、第３外方端縁１０５、第１延出部１０４および第２延出部１０３を有する。本実施形態においては、第１導電層１は、平面視略矩形状とされているが、これは第１導電層１の形状の一例である。第１導電層１の形状は、様々な形状に設定されうる。第１導電層１の厚さは、たとえば１００ｎｍ〜３００ｎｍである。
【００５５】
第１電極部１１は、光電変換層３によって生じた正孔が集約される層であり、いわゆるアノード電極として機能する。本実施形態においては、第１導電層１の大部分が１つの第１電極部１１とされている。
【００５６】
開口１８は、厚さ方向に第１導電層１を貫通した開口部分である。開口１８は、たとえばスピーカ７０５を機能させるために設けられたものである。なお、第１導電層１は、複数の開口１８を有してもよい。また、開口１８の用途は特に限定されず、通話実現ための部位やカメラモジュール等の機能を発揮させるために用いられてもよい。表示用開口１８１は、表示部７０２によって表示された情報を外観に表すために設けられたものである。本実施形態においては表示用開口１８１は、平面視矩形状である。
【００５７】
スリット１９３は、環状のスリットであり、第１電極部１１から第１導電層１の一部を区画している。
【００５８】
第３端縁１０１は、表示用開口１８１を規定する端縁である。本実施形態においては、第３端縁１０１は、表示用開口１８１を四方から囲む端縁となっており、平面視矩形環状である。第３端縁１０１の二辺は、ｘ方向に沿っており、他の二辺はｙ方向に沿っている。なお、第３端縁１０１は、表示用開口１８１を四方から囲む形状に限定されない。たとえば、第３端縁１０１が表示用開口１８１に三方から隣接することにより、表示用開口１８１が第１電極部１１から平面視において外方に開いた構成であってもよい。あるいは、第３端縁１０１は、表示用開口１８１に対して二方あるいは一方のみから隣接するものであってもよい。第３端縁１０１に隣接する領域、すなわち表示用開口１８１からは、支持基板４１が露出している。また、第３端縁１０１は、後述する第１保護樹脂層４５の第２端縁４５１およびパッシベーション層４２の第１端縁４２１から延出する第１導電層１の部分の内端縁とされている。
【００５９】
第１延出部１０４は、パッシベーション層４２から内方（表示用開口１８１）に延出する部位である。本実施形態においては、第１導電層１の略全内周部分に、第２延出部１０３が設けられている。
【００６０】
第２延出部１０３は、パッシベーション層４２から外方に延出する部位である。本実施形態においては、第１導電層１の略全外周部分に、第２延出部１０３が設けられている。第３外方端縁１０５は、第２延出部１０３の外周端縁である。
【００６１】
図３および図４に示すように、接続部１３は、スリット１７によって区画されており、スリット１７によって第１電極部１１とは絶縁された部分である。スリット１７は、その両端１７１が第３外方端縁１０５に到達している。接続部１３は、接続部端縁１３１および接続延出部１３２を有する。接続部端縁１３１は、接続部１３のうちスリット１７には対向しない部分の端縁である。図示された例においては、接続部端縁１３１は、隣り合う第３外方端縁１０５の略延長線上に形成されている。スリット１７の平面視形状は特に限定されず、図示された例においては、接続部端縁１３１（第３外方端縁１０５）が延びる方向を長手方向とする細長形状であり、より具体的には略長矩形状である。接続延出部１３２は、接続部１３のうち平面視において光電変換層３から露出する部分である。接続部１３は、たとえば光電変換層３における発電によって集約された電子を、有機薄膜太陽電池モジュールＡ１外に導くために用いられる。
【００６２】
第１検出導電層１０１０は、第１導電層１と離間し且つ支持基板４１の主面４１０のうち第１導電層１、第２導電層２および光電変換層３と重ならない部分に積層されている。第１検出導電層１０１０は、透明な導電性材料からなり、本実施形態においては、第１導電層１の材質と同じＩＴＯからなる。第１検出導電層１０１０は、いわゆる静電容量型のタッチパネルを構成しており、操作指示物体の一例である指のｙ方向における位置を検出するためのものである。
【００６３】
第１検出導電層１０１０は、複数の第１枝部１０１１を有する。複数の第１枝部１０１１は、ｙ方向に互いに離間配置されており、各々がｘ方向に沿って延びている。すなわち、第１枝部１０１１は、第３端縁１０１のｘ方向に沿う辺に平行である。図示された例においては、第１枝部１０１１は、一定幅の帯状であるが、第１枝部１０１１の形状は特に限定されず、たとえば複数の菱型部分が連結された形状であってもよい。
【００６４】
第２導電層２は、その大部分が光電変換層３を介して第１導電層１上に積層されている。また、第２導電層２の一部は、第１導電層１に直接接している。第２導電層２の材質は特に限定されないが、本実施形態においては、第２導電層２は、Ａｌ、Ｗ、Ｍｏ、Ｍｎ、Ｍｇに代表される金属からなる。以下においては、第２導電層２がＡｌからなる場合を例に説明する。したがって、第２導電層２は、透明ではない。またこの場合、第２導電層２の支持基板４１とは反対側の表面に、Ａｌ2Ｏ3からなる不動態皮膜（図示略）が形成されてもよい。第２導電層２の厚さは、たとえば３０ｎｍ〜１５０ｎｍである。
【００６５】
図１０に示すように、第２導電層２は、第２電極部２１および開口２８を有する。本実施形態においては、第２導電層２は、平面視略矩形状とされているが、これは第２導電層２の形状の一例である。第２導電層２の形状は、様々な形状に設定されうる。
【００６６】
第２電極部２１は、光電変換層３によって生じた電子が集約される層であり、いわゆるカソード電極として機能する。
【００６７】
複数の開口２８は、厚さ方向に第２導電層２を貫通する開口部分である。図１０における図中上方の４つの開口２８は、たとえばスピーカ７０５を機能させるために設けられたものである。一方、図中中央の最も大である開口２８は、表示部７０２によって表示された情報を外観に表すために設けられたものである。
【００６８】
第４内方退避端縁２０１は、図中中央の開口２８を規定する端縁である。本実施形態においては、第４内方退避端縁２０１は、開口２８を四方から囲む端縁となっており、平面視矩形環状である。なお、第４内方退避端縁２０１は、開口２８を四方から囲む形状に限定されない。たとえば、第４内方退避端縁２０１が開口２８を三方から隣接することにより、開口２８が第２電極部２１から平面視において外方に開いた構成であってもよい。あるいは、第４内方退避端縁２０１は、開口２８に対して二方あるいは一方のみから隣接するものであってもよい。また、図４に示すように、第４内方退避端縁２０１は、第３端縁１０１よりも内方（表示用開口１８１内に延出する方向とは反対側）に退避している。
【００６９】
第４外方退避端縁２０２は、図４に示すように、後述するパッシベーション層４２の第１外方端縁４２２および第１保護樹脂層４５の第２外方端縁４５２よりも平面視において内方（図４における右方）に退避している。本実施形態においては、第４外方退避端縁２０２は、平面視環状である。
【００７０】
光電変換層３は、第１導電層１と第２導電層２とに挟まれて、支持基板４１に積層されている。光電変換層３は、有機薄膜からなる層であり、受けた光を電力に変換する光電変換機能を発揮する。光電変換層３の具体的構成は特に限定されないが、その一例を挙げると、バルクヘテロ接合有機活性層と、このバルクヘテロ接合有機活性層に対して第１導電層１側に積層された正孔輸送層とからなる。本実施形態においては、光電変換層３は、平面視矩形状とされているが、これは一例であり、光電変換層３は、様々な形状とされうる。光電変換層３の厚さは、たとえば５０ｎｍ〜３００ｎｍである。
【００７１】
バルクヘテロ接合有機活性層は、ｐ型有機活性層領域とｎ型有機活性層領域が混在し、複雑なバルクへテロｐｎ接合を形成している。ｐ型有機活性層領域は、例えば、Ｐ３ＨＴ（poly(3-hexylthiophene-2,5diyl)）で形成され、ｎ型有機活性層領域は、例えば、ＰＣＢＭ（6,6-phenyl-C61-butyric acid methyl ester）で形成されている。正孔輸送層は、たとえばＰＥＤＯＴ：ＰＳＳで形成されている。
【００７２】
光電変換層３の形成に用いられる材質を例示すると、フタロシアニン（Ｐｃ:Phthalocyanine）、亜鉛フタロシアニン（ＺｎＰｃ:Zinc- phthalocyanine）、Ｍｅ−Ｐｔｃｄｉ（N,N'-dimethyl perylene-3,4,9,10-dicarboximide）、フラーレン（C 60 :Buckminster fullerene）が挙げられる。これらの材質は、たとえば真空蒸着に使用される。
【００７３】
また、光電変換層３の形成に用いられる他の材質を例示すると、ＭＤＭＯ−ＰＰＶ（poly[2-methoxy-5-(3,7-dimethyl octyloxy)]-1,4-phenylene vinylene）、ＰＣＤＴＢＴ（poly[N-9'-hepta-decanyl-2,7-carbazole-alt-5,5-(4',7'-di-thienyl-2'1',3'-b3nzothiadizaole)]）、ＰＣ６０ＢＭ（6,6-phenyl-C61-butyric acid methyl ester）、ＰＣ７０ＢＭ（6,6-phenyl-C71-butyric acid methyl ester）が挙げられる。これらの材質は、たとえば溶液プロセスに使用される。
【００７４】
図９に示すように、光電変換層３は、非発電領域３０、発電領域３１、意匠表示部３５、開口３８、第５内方退避端縁３０１、第５外方退避端縁３０２および導通用貫通部３５１を有している。なお、図９においては、非発電領域３０および発電領域３１に、複数の離散点からなるハッチングを付している。意匠表示部３５は、平面視において第１導電層１のスリット１９３に囲まれた領域と重なっている。
【００７５】
意匠表示部３５は、外観に表れる意匠を構成する部位である。意匠表示部３５が構成する意匠とは、使用者等が目視することによって、文字、記号、図柄などの視覚的特異部分として視認されうるものを指す。本実施形態においては、意匠表示部３５は、円環形状を表している。
【００７６】
本実施形態においては、意匠表示部３５は、意匠表示用貫通部３５０によって構成されている。意匠表示用貫通部３５０は、光電変換層３を厚さ方向に貫通する態様の部位である。このような意匠表示用貫通部３５０は、外観に表れる。また、本実施形態においては、意匠表示用貫通部３５０は、第２導電層２を第１導電層１側に露出させている。すなわち、意匠表示用貫通部３５０を通じて第２導電層２の一部が外観に表れている。意匠表示用貫通部３５０の形状等は特に限定されず、図示された例においては、アルファベットを表す形状が採用されている。
【００７７】
発電領域３１は、第１導電層１の第１電極部１１および第２導電層２の第２電極部２１に挟まれ、且つ光電変換機能を発揮することにより発電に寄与する領域である。また、発電領域３１の形状は、平面視において、第１電極部１１および第２電極部２１に一致する。
【００７８】
図３、図４および図９に示すように、導通用貫通部３５１は、光電変換層３を貫通する孔によって構成されている。導通用貫通部３５１は、平面視において第１導電層１の接続部１３に内包される位置に設けられている。図示された例においては、複数の導通用貫通部３５１が設けられている。導通用貫通部３５１の形状および配置は特に限定されない。図示された例においては、導通用貫通部３５１は、平面視円形であり、その直径がたとえば４０μｍ程度である。また、複数の導通用貫通部３５１は、接続部１３の長手方向に沿って配列されている。第１導電層１の接続部１３と第２導電層２とは、導通用貫通部３５１を介して互いに導通している。
【００７９】
非発電領域３０は、光電変換層３のうち平面視において第１導電層１の第１電極部１１および第２導電層２の第２電極部２１とは重ならない領域であり、第１導電層１の接続部１３およびスリット１９３に囲まれた領域と重なっている領域である。接続部１３は、第２導電層２と接している。このため、接続部１３と平面視において重なる非発電領域３０は、発電に寄与しない。また、意匠表示部３５と平面視において重なるスリット１９３に囲まれた領域と平面視において一致する光電変換層３の部分は、非発電領域３０となっている。すなわち、光電変換層３のうち複数の発電領域３１以外の領域が、非発電領域３０とされている。
【００８０】
複数の開口３８は、光電変換層３を厚さ方向に貫通する開口部分である。図９における図中上方の開口３８は、たとえばスピーカ７０５を機能させるために設けられたものである。一方、図中中央の最も大である開口３８は、表示部７０２によって表示された情報を外観に表すために設けられたものである。
【００８１】
第５内方退避端縁３０１は、図中中央の開口３８を規定する端縁である。本実施形態においては、第５内方退避端縁３０１は、開口３８を四方から囲む端縁となっており、平面視矩形環状である。なお、第５内方退避端縁３０１は、開口３８を四方から囲む形状に限定されない。たとえば、第５内方退避端縁３０１が開口３８を三方から隣接することにより、開口３８が発電領域３１から平面視において外方に開いた構成であってもよい。あるいは、第５内方退避端縁３０１は、開口３８に対して二方あるいは一方のみに設けられたものであってもよい。また、図４に示すように、第５内方退避端縁３０１は、第３端縁１０１よりも内方（表示用開口１８１内に延出する方向とは反対側）に退避している。
【００８２】
第５外方退避端縁３０２は、図３および図４に示すように、後述するパッシベーション層４２の第１外方端縁４２２よりも平面視において内方（図４における右方）に退避している。本実施形態においては、第５外方退避端縁３０２は、平面視環状である。
【００８３】
パッシベーション層４２は、第２導電層２上に積層されており、第２導電層２および光電変換層３を保護している。パッシベーション層４２は、たとえばＳｉＮまたはＳｉＯＮからなる。パッシベーション層４２の厚さは、たとえば０．５μｍ〜２．０μｍであり、本実施形態においては、たとえば１．５μｍ程度とされる。
【００８４】
図４および図５に示すように、パッシベーション層４２Ａは、支持基板４１の主面４１０および第１検出導電層１０１０上に積層されており、第１検出導電層１０１０を保護している。パッシベーション層４２Ａは、好ましくはパッシベーション層４２と同じ材質からなり、たとえばＳｉＮまたはＳｉＯＮからなる。パッシベーション層４２Ａの厚さは、好ましくはパッシベーション層４２の厚さと同じであり、たとえば０．５μｍ〜２．０μｍであり、本実施形態においては、たとえば１．５μｍ程度とされる。パッシベーション層４２とパッシベーション層４２Ａとは、ｚ方向視において互いに離間している。
【００８５】
保護樹脂層４は、パッシベーション層４２を覆っている層である。また、保護樹脂層４は、バイパス導電部５を覆っている。保護樹脂層４は、たとえば紫外線硬化樹脂からなる。保護樹脂層４の厚さは、たとえば３μｍ〜２０μｍであり、本実施形態においては、たとえば１０μｍ程度とされる。
【００８６】
本実施形態においては、保護樹脂層４は、第１保護樹脂層４５および第２保護樹脂層４６を有する。第１保護樹脂層４５は、パッシベーション層４２を覆う層である。第２保護樹脂層４６は、第１保護樹脂層４５に積層されており、バイパス導電部５を覆う層である。
【００８７】
図３、図４および図１１に示すように、第１保護樹脂層４５は、複数の開口４５８、第２端縁４５１および第２外方端縁４５２を有する。
【００８８】
複数の開口４５８は、第１保護樹脂層４５の一部が削除された態様であり、第１保護樹脂層４５を貫通している。図１１における図中上方の３つの開口４５８は、たとえばスピーカ７０５を機能させるために設けられたものである。一方、図中中央の最も大である開口４５８は、表示部７０２によって表示された情報を外観に表すために設けられたものである。
【００８９】
第２端縁４５１は、図中中央の開口４５８を規定する端縁である。本実施形態においては、第２端縁４５１は、開口４５８を四方から囲む端縁となっており、平面視矩形環状である。なお、第２端縁４５１は、開口４５８を四方から囲む形状に限定されない。たとえば、第２端縁４５１が開口４５８を三方から隣接することにより、開口４５８が第１保護樹脂層４５から平面視において外方に開いた構成であってもよい。あるいは、第２端縁４５１は、開口４５８に対して二方あるいは一方のみ設けられたものであってもよい。
【００９０】
第２外方端縁４５２は、平面視において光電変換層３の少なくとも一部を挟んで第２端縁４５１と反対側に位置しており、本実施形態においては、第１保護樹脂層４５の外周端縁である。
【００９１】
図４、図５および図１１に示すように、保護樹脂層４５Ａは、第１保護樹脂層４５の開口４５８内に形成されており、第１保護樹脂層４５と離間している。保護樹脂層４５Ａは、パッシベーション層４２Ａ上に積層されており、たとえば紫外線硬化樹脂からなる。保護樹脂層４５Ａの厚さは、好ましくは第１保護樹脂層４５の厚さと同じである。
【００９２】
図１２に示すように、第２保護樹脂層４６は、複数の開口４６８、第６端縁４６１および第６外方端縁４６２を有する。
【００９３】
複数の開口４６８は、第２保護樹脂層４６の一部が削除された態様であり、第２保護樹脂層４６を貫通している。図１２における図中上方の３つの開口４６８は、たとえばスピーカ７０５を機能させるために設けられたものである。一方、図中中央の最も大である開口４６８は、表示部７０２によって表示された情報を外観に表すために設けられたものである。
【００９４】
第６端縁４６１は、図中中央の開口４６８を規定する端縁である。本実施形態においては、第６端縁４６１は、開口４６８を四方から囲む端縁となっており、平面視矩形環状である。なお、第６端縁４６１は、開口４６８を四方から囲む形状に限定されない。たとえば、第６端縁４６１が開口４６８を三方から隣接することにより、開口４６８が第２保護樹脂層４６から平面視において外方に開いた構成であってもよい。あるいは、第６端縁４６１は、開口４６８に対して二方あるいは一方のみ設けられたものであってもよい。
【００９５】
第６外方端縁４６２は、平面視において光電変換層３の少なくとも一部を挟んで第６端縁４６１と反対側に位置しており、本実施形態においては、第２保護樹脂層４６の外周端縁である。
【００９６】
図３〜図５に示すようにパッシベーション層４２は、第１端縁４２１および第１外方端縁４２２を有している。
【００９７】
第１端縁４２１は、平面視において第２端縁４５１と一致している。また、本実施形態においては、第１端縁４２１は、第２端縁４５１と連続した面をなしている。第１外方端縁４２２は、平面視において第２外方端縁４５２と一致している。また、本実施形態においては、第１外方端縁４２２は、第２外方端縁４５２と連続した面をなしている。
【００９８】
バイパス導電部５は、第１導電層１に到達した正孔と第２導電層２に到達した電子とを集電するための、少なくとも第１導電層１より低抵抗な経路を構成するためのものである。本実施形態においては、バイパス導電部５は、第１バスバー部５１３、２つの第２バスバー部５１４、第１集極部５３１、第２集極部５３２、連絡部５２、第７端縁５１１および第７外方端縁５１２を有する。バイパス導電部５は、少なくとも第１導電層１よりも低抵抗な材質からなり、たとえばＡｇまたはカーボンを含む。
【００９９】
図３〜図５および図１１に示すように、１つの第２バスバー部５１４は、第２端縁４５１および第１端縁４２１を全長にわたって覆っている。この第２バスバー部５１４は、第１導電層１のうち第３端縁１０１と第１端縁４２１（第２端縁４５１）との間に位置する第１延出部１０４を覆っている。また、この第２バスバー部５１４の第７端縁５１１は、平面視において第３端縁１０１と一致している。他方の第２バスバー部５１４は、第２外方端縁４５２および第１外方端縁４２２の一部を除く略全長にわたって覆っている。この第２バスバー部５１４は、第１導電層１の第２延出部１０３を覆っている。このバスバー部５１の第７外方端縁５１２は、平面視において第３外方端縁１０５と一致している。このような構成により、２つのバスバー部５１は、それぞれが第１導電層１と導通している。
【０１００】
第２集極部５３２は、第２バスバー部５１４に導通する部分であり、第１導電層１によって集約された正孔を、たとえば電子機器Ｂ１に設けられた正孔用端子に出力するための部分である。本実施形態においては、第２集極部５３２は、保護樹脂層４の第１保護樹脂層４５上に形成されている。第２集極部５３２は、平面視において第２導電層２および光電変換層３と重なっている。支持基板４１の厚さ方向において、光電変換層３と第２集極部５３２との間には、パッシベーション層４２および第１保護樹脂層４５が介在している。第２集極部５３２の平面視形状は特に限定されず、図示された例においては、略半楕円形状とされている。また、図示された例においては、第２集極部５３２は、一方の第２バスバー部５１４に直接つながっている。なお、図１２に示すように、第２保護樹脂層４６は、第１集極部５３１および第２集極部５３２と電子機器Ｂ１の電気的な接続端子等（図示略）とを接触させるために、第１集極部５３１および第２集極部５３２を露出させる形状であってもよい。図示された例においては、第２保護樹脂層４６には、第１集極部５３１および第２集極部５３２を露出させる切り欠きが形成されている。
【０１０１】
連絡部５２は、第１保護樹脂層４５上に形成された部分であり、図１１における図中内側のバスバー部５１と第２集極部５３２とを連結している。これにより、２つの第２バスバー部５１４に集約された正孔が第２集極部５３２へと導かれる。
【０１０２】
図３、図４および図１１に示すように、第１バスバー部５１３は、第２バスバー部５１４から離間しており、接続部１３の接続延出部１３２の一部を覆っている。より具体的には、第１バスバー部５１３は、図３における図中左右方向（接続部１３の長手方向）において接続延出部１３２の一部を覆っている。図４に示すように、第１バスバー部５１３の第７端縁５１１は、平面視において接続部１３の接続部端縁１３１と一致している。第２バスバー部５１４には、迂回部５１４１が設けられている。迂回部５１４１は、第２バスバー部５１４のうち第１バスバー部５１３の両側に位置する部分に繋がっており、平面視において第１バスバー部５１３および第１集極部５３１を迂回するように形成されている。
【０１０３】
第１集極部５３１は、第１バスバー部５１３に導通する部分であり、第２導電層２によって集約された電子を、たとえば電子機器Ｂ１に設けられた電子用端子に出力するための部分である。本実施形態においては、第１集極部５３１は、保護樹脂層４の第１保護樹脂層４５上に形成されている。第１集極部５３１は、平面視において第２導電層２および光電変換層３と重なっている。支持基板４１の厚さ方向において、光電変換層３と第１集極部５３１との間には、パッシベーション層４２および第１保護樹脂層４５が介在している。第１集極部５３１の平面視形状は特に限定されず、図示された例においては、略半楕円形状とされている。また、図示された例においては、第１集極部５３１は、第１バスバー部５１３に直接つながっている。
【０１０４】
図３に示すように、本実施形態においては、意匠表示部３５（意匠表示用貫通部３５０）は、平面視において導通用貫通部３５１に対して接続部端縁１３１とは反対側に位置している。言い換えると、導通用貫通部３５１は、平面視において接続部端縁１３１と意匠表示部３５との間に位置している。
【０１０５】
図３〜図５に示すように、第２端縁４５１および第１端縁４２１に対して第２バスバー部５１４および第２保護樹脂層４６を間に挟んで隣接する領域から、支持基板４１の一部が露出領域４１１として露出している。また、露出領域４１１は、第１導電層１等によって覆われておらず、支持基板４１の表面が直接露出している。
【０１０６】
図４、図５および図１２に示すように、第１検出バイパス導電部５０１０は、第２保護樹脂層４６上に形成されている。第１検出バイパス導電部５０１０は、第１検出導電層１０１０の複数の第１枝部１０１１に導通している。第１検出バイパス導電部５０１０は、導電性材料からなり、たとえばＡｇまたはカーボンを含む。本実施形態においては、複数の第１検出バイパス導電部５０１０が形成されており、各々が第１枝部１０１１のｘ方向端部に接続されている。第１検出バイパス導電部５０１０は、第２保護樹脂層４６のｙ方向端部に到達している。第１検出バイパス導電部５０１０の端部は、電子機器Ｂ１の電気的な接続部分と接続される第１端子部５０１１を構成する。第１検出バイパス導電部５０１０は、ｚ方向視において表示部７０２とは重ならない領域に設けられている。図５に示すように、本実施形態においては、第２保護樹脂層４６とパッシベーション層４２Ａおよび保護樹脂層４５Ａとがｚ方向視において離間している。第１検出バイパス導電部５０１０の端部は、第２保護樹脂層４６とパッシベーション層４２Ａおよび保護樹脂層４５Ａとの隙間に進入しており、第１枝部１０１１の端部と接している。これにより、第１枝部１０１１と第１検出バイパス導電部５０１０とが導通している。
【０１０７】
次いで、有機薄膜太陽電池モジュールＡ１の製造方法の一例について、図１３〜図２６を参照しつつ、以下に説明する。なお、これらの図においては、理解の便宜上、図４および図５とは、天地逆に表されている。また、図１３〜図２５においては、図３に示したＩＶ−ＩＶ線における断面構造を生成する過程を示している。図２６は、図１のＶ−Ｖ線における断面構造を生成する過程を示している。
【０１０８】
まず、図１３に示すように、支持基板４１を用意する。そして、支持基板４１の主面４１０にたとえばスパッタ法などの一般的な手法によりＩＴＯからなる第１導電膜１０を積層する。
【０１０９】
次に、図１４および図１５に示すように、該ＩＴＯにパターニングを施し、開口１８、表示用開口１８１、スリット１９３、スリット１７等のパターンを形成するためのパターニングを行う。また、複数の第１枝部１０１１を有する第１検出導電層１０１０を形成するためのパターニングを行う。ここで、ＩＴＯへのパターニング手法としては、たとえばウエットエッチングを用いた手法、Ｇｒｅｅｎレーザー光等のレーザーパターニングを用いた手法が適宜採用される。
【０１１０】
次いで、図１６に示すように、有機膜３Ａを形成する。有機膜３Ａの形成は、たとえば、スピンコート塗布により支持基板４１上および第１導電膜１０上に有機膜を成膜することによって行う。
【０１１１】
次いで、図１７および図１８に示すように、有機膜３Ａにパターニングを施すことにより、光電変換層３を形成する。有機膜３Ａのパターニングは、たとえば酸素プラズマエッチング、レーザーパターニングを用いることによって、第５内方退避端縁３０１、第５外方退避端縁３０２、開口３８、意匠表示用貫通部３５０（意匠表示部３５）、導通用貫通部３５１を有する構成に仕上げることにより行う。なお、光電変換層３は、上記に限定されず、スリットコート法、キャピラリーコート法、グラビア印刷などの手法によって、支持基板４１上および第１導電膜１０上に直接的に有機膜をパターニングすることで形成するようにしても良い。ただし、図示された例においては、導通用貫通部３５１は、比較的小径の円形貫通孔である。このような導通用貫通部３５１の形成は、レーザー光Ｌｚ０を用いたパターニングが適している。レーザー光Ｌｚ０としては、有機膜３Ａを除去しつつ、第１導電膜１０を残存させる波長のレーザー光を選択することが好ましく、たとえばＧｒｅｅｎレーザー光が選択される。
【０１１２】
次いで、図１９に示すように、第２導電層２を形成する。第２導電層２の形成は、たとえば上述した金属を真空加熱蒸着法によって支持基板４１、第１導電膜１０および光電変換層３上に金属膜を成膜する。次に、該金属膜に例えばマスク層を用いたエッチングを行うことによりパターニングを施す。このパターニングにより、光電変換層３上に第４内方退避端縁２０１および第４外方退避端縁２０２を有する第２導電層２を形成する。また、当該工程において、光電変換層３の導通用貫通部３５１が第２導電層２によって埋められる。これにより、第１導電層１と第２導電層２とが、導通用貫通部３５１を介して導通する。
【０１１３】
次いで、図２０に示すように、絶縁膜４２０を形成する。絶縁膜４２０の形成は、たとえばプラズマＣＶＤ法によってＳｉＮまたはＳｉＯＮなどの膜を支持基板４１、第１導電膜１０、第１検出導電層１０１０、光電変換層３および第２導電層２上に形成することにより行う。
【０１１４】
次いで、図２１に示すように、第１保護樹脂層４５および保護樹脂層４５Ａを形成する。第１保護樹脂層４５および保護樹脂層４５Ａの形成は、たとえば紫外線硬化樹脂を含む液体樹脂材料をスクリーン印刷によって絶縁膜４２０上に塗布し、紫外線を照射することによって硬化させる。これにより、第２端縁４５１および第２外方端縁４５２を有する第１保護樹脂層４５と保護樹脂層４５Ａとが得られる。保護樹脂層４５Ａは、ｚ方向視において第１検出導電層１０１０を覆っている。
【０１１５】
次いで、図２２に示すように、第１保護樹脂層４５および保護樹脂層４５Ａをマスクとして用いたパターニングを絶縁膜４２０に施す。このパターニングは、たとえばフッ化水素を０．５５％〜４．５％含むフッ化水素酸を用いたウエットエッチングによって行う。このようなフッ化水素酸は、紫外線硬化樹脂からなる第１保護樹脂層４５および保護樹脂層４５Ａをほとんど溶解しない一方、ＳｉＮ等からなる絶縁膜４２０を選択的に溶解する。また、フッ化水素酸は、ＩＴＯ等からなる第１導電膜１０はほとんど溶解しない。この結果、第１端縁４２１および第１外方端縁４２２を有するパッシベーション層４２とパッシベーション層４２Ａが形成される。第１端縁４２１は、平面視において第２端縁４５１と一致する。第１端縁４２１と第２端縁４５１とは、連続した面をなす。また、第１外方端縁４２２は、平面視において第２外方端縁４５２と一致する。第１外方端縁４２２と第２外方端縁４５２とは、連続した面をなす。パッシベーション層４２Ａは、平面視において保護樹脂層４５Ａと一致する。
【０１１６】
次いで、図２３および図２４に示すように、バイパス導電部５を形成する。バイパス導電部５の形成は、たとえばＡｇまたはカーボンを含むペーストを塗布した後に、たとえば乾燥などの手法によってこのペーストを硬化させることによって行う。
【０１１７】
次いで、図２５に示すように、第１導電膜１０にパターニングを施す。このパターニングは、たとえば濃塩酸と濃硝酸とが３：１の比率で混合された王水を用いて行う。このパターニングにより、第１導電膜１０のうちバイパス導電部５や第１保護樹脂層４５から露出した部分が選択的に除去される。この結果、第３端縁１０１等を有する第１導電層１が形成される。
【０１１８】
次いで、図２６に示すように、第２保護樹脂層４６を形成する。第２保護樹脂層４６の形成は、たとえば紫外線硬化樹脂を含む液体樹脂材料をスクリーン印刷によって塗布し、紫外線を照射することによって硬化させる。これにより、第６端縁４６１および第６外方端縁４６２を有する第２保護樹脂層４６が得られ、保護樹脂層４が形成される。そして、第１検出バイパス導電部５０１０を形成する。第１検出バイパス導電部５０１０の形成は、たとえばＡｇまたはカーボンを含むペーストを塗布した後に、たとえば乾燥などの手法によってこのペーストを硬化させることによって行う。以上の工程を経ることにより、有機薄膜太陽電池モジュールＡ１が得られる。
【０１１９】
次に、有機薄膜太陽電池モジュールＡ１および電子機器Ｂ１の作用について説明する。
【０１２０】
本実施形態によれば、第１導電層１と第１検出導電層１０１０との双方が、支持基板４１の主面４１０上に形成されている。このため、発電を実現するための第１導電層１、第２導電層２および光電変換層３に加えて、操作入力のための第１検出導電層１０１０を設けることによって、有機薄膜太陽電池モジュールＡ１の厚さは、増大されない。したがって、有機薄膜太陽電池モジュールＡ１は、タッチパネルの機能を担いつつ、その薄型化を図ることができる。
【０１２１】
第１検出導電層１０１０が第１導電層１と同じ材質および同じ厚さであれば、図１３〜図１５に示すように、第１検出導電層１０１０と第１導電層１とを一括して形成することができる。
【０１２２】
パッシベーション層４２Ａとパッシベーション層４２とが同じ材質および同じ厚さであれば、図２０〜図２２に示すように、パッシベーション層４２Ａとパッシベーション層４２とを一括して形成することができる。また、保護樹脂層４５Ａは、パッシベーション層４２Ａを所望の形状に仕上げるためのマスク部材としての機能を果たすことができる。なお、第１検出導電層１０１０の保護の観点からパッシベーション層４２Ａおよび保護樹脂層４５Ａを備えることが好ましいが、パッシベーション層４２Ａおよび保護樹脂層４５Ａのいずれか一方または双方を備えない構成であってもよい。
【０１２３】
有機薄膜太陽電池モジュールＡ１が第１検出導電層１０１０を有し、入力部７０３が第２検出導電層１０２０を有することにより、電子機器Ｂ１においては、操作指示物体の一例である指のｘ方向およびｙ方向における位置を適切に検出することができる。
【０１２４】
本実施形態によれば、図３および図４に示すように、第３外方端縁１０５に沿う光電変換層３の第５外方退避端縁３０２に近い位置に導通用貫通部３５１が設けられている。このため、導通用貫通部３５１を含み且つ接続部１３と重なる非発電領域３０は、第３外方端縁１０５に近接する比較的小面積の領域となり、たとえば意匠表示部３５と比べて小さい領域である。したがって、光電変換層３のうち発電に寄与する発電領域３１の面積割合を高めることができる。
【０１２５】
本実施形態においては、導通用貫通部３５１は、平面視円形状の貫通孔であり、その直径がたとえば４０μｍ程度である。これにより、導通用貫通部３５１やこれを含む発電領域３１を、有機薄膜太陽電池モジュールＡ１および電子機器Ｂ１の外観において目視によってほとんど確認できない程度の部位とすることが可能である。これは、有機薄膜太陽電池モジュールＡ１および電子機器Ｂ１の外観をより美麗に仕上げるのに適している。
【０１２６】
第１集極部５３１および第２集極部５３２は、平面視において第２導電層２および光電変換層３と重なる位置に設けられている。このため、第１集極部５３１および第２集極部５３２は、第３外方端縁１０５から平面視において外方へと延出していない。これは、有機薄膜太陽電池モジュールＡ１の接地面積を縮小するのに適している。
【０１２７】
導通用貫通部３５１を利用して、第１集極部５３１へと電子を集約する構造であるため、意匠表示部３５を構成する意匠表示用貫通部３５０は、電子の集約に利用する必要が無い。このため、意匠表示部３５から電子を集約するための導通経路をたとえば第１導電層１に確保する必要が無い。これにより、意匠表示部３５から第３外方端縁１０５等に至る導通経路を省略することが可能である。したがって、有機薄膜太陽電池モジュールＡ１および電子機器Ｂ１の外観において、意匠表示部３５から第３外方端縁１０５が存在する端部へと延びる線が表れてしまうことを防止することができる。特に、意匠表示部３５は、外観において目立つ位置に設けられる場合が多く、第３外方端縁１０５等の端部から離間していることが一般的である。このような場合に、上述した外観に表れる線を省略できることは、有機薄膜太陽電池モジュールＡ１および電子機器Ｂ１の外観をより美麗に仕上げるのに好ましい。
【０１２８】
バイパス導電部５を設けることにより、第１導電層１に拡散してきた正孔を、第２バスバー部５１４を経由して第２集極部５３２へと導くことができる。バイパス導電部５は、第１導電層１よりも低抵抗の材料からなる。このため、バイパス導電部５によって、より低抵抗な導通経路が構成される。このような導通経路に光電変換層３によって発電された電力を導くことにより、通電による損失を抑制することができる。また、バイパス導電部５は、保護樹脂層４によって覆われている。このため、保護樹脂層４が外気等との反応によって劣化することを回避することができる。したがって、有機薄膜太陽電池モジュールＡ１および電子機器Ｂ１の通電部分の劣化を回避しつつ通電損失を抑制することができる。
【０１２９】
図４に示すように、第７端縁５１１および第７外方端縁５１２は、第６端縁４６１および第６外方端縁４６２の内側に位置している。すなわち、バイパス導電部５は、保護樹脂層４によって完全に覆われている。これは、バイパス導電部５の保護に好ましい。
【０１３０】
第２端縁４５１および第２外方端縁４５２に隣接する領域において支持基板４１が露出している。この部位には、パッシベーション層４２や第１保護樹脂層４５が形成されていない。したがって、この部位をより透明に仕上げることが可能であり、表示部７０２をより鮮明に外観に表すことができる。
【０１３１】
第２端縁４５１および第１端縁４２１に隣接する領域のうち第２バスバー部５１４によって覆われた僅かな領域を除いて、支持基板４１には第１導電層１が形成されていない。第１導電層１は、ＩＴＯからなるものの、光線のあたり具合によっては、うっすらと着色されたものとして視認される。本実施形態においては、表示部７０２を外観に表すための領域をことさらに透明に仕上げることが可能であり、より美麗な外観を実現することができる。
【０１３２】
光電変換層３の第５内方退避端縁３０１および第２導電層２の第４内方退避端縁２０１が、第１端縁４２１および第２端縁４５１と離間していることにより、第２導電層２および光電変換層３がバイパス導電部５と不当に導通することを回避することができる。また、第４内方退避端縁２０１および第５内方退避端縁３０１と第１端縁４２１および第２端縁４５１との間にパッシベーション層４２が介在していることにより、第２導電層２および光電変換層３とバイパス導電部５の第２バスバー部５１４とがショートすることをより確実に防止可能である。
【０１３３】
第１保護樹脂層４５をマスクとして用いたパターニングを絶縁膜４２０に施すことにより、第１保護樹脂層４５と同形状のパッシベーション層４２を形成することができる。すなわち、紫外線硬化樹脂などの形状形成に優れた材質を用いて第１保護樹脂層４５を形成すれば、必ずしも形状形成に優れていない材質からなるパッシベーション層４２を所望の形状に仕上げることができる。なお、４５は、パッシベーション層４２を形成した後に除去してもよい。ただし、４を残存させた場合、水分やパーティクル等の第１導電層１、第２導電層２および光電変換層３等への侵入を防止する効果や、有機薄膜太陽電池モジュールＡ１の強度向上を図る効果が期待できる。
【０１３４】
なお、本実施形態における第１導電層１、第２導電層２、光電変換層３、保護樹脂層４およびバイパス導電部５の具体的構成は、あくまで一構成例である。第１導電層１、第２導電層２、光電変換層３、保護樹脂層４およびバイパス導電部５の具体的構成は、発電機能を発揮しうる範囲において、種々に適宜変更可能である。
【０１３５】
図２７および図２８は、本発明の他の実施形態を示している。なお、これらの図において、上記実施形態と同一または類似の要素には、上記実施形態と同一の符号を付している。
【０１３６】
図２７は、本発明の第２実施形態に基づく有機薄膜太陽電池モジュールを示している。本実施形態の有機薄膜太陽電池モジュールＡ２は、有機薄膜太陽電池モジュールＡ１の構成に加えて、第２支持基板４０２、第２検出導電層１０２０および第２検出バイパス導電部５０２０を備えている。第２支持基板４０２、第２検出導電層１０２０および第２検出バイパス導電部５０２０の構成は、上述した電子機器Ｂ１における入力部７０３について述べた構成と同様である。
【０１３７】
第２支持基板４０２は、支持基板４１に対して接合層４０３によって固定されている。接合層４０３は、たとえば透明な樹脂成分を主成分とする接着剤層である。
【０１３８】
このような構成によっても、有機薄膜太陽電池モジュールＡ２は、タッチパネルの機能を担いつつ、その薄型化を図ることができる。また、有機薄膜太陽電池モジュールＡ２によれば、有機薄膜太陽電池モジュールＡ２のみによって、指のｘ方向およびｙ方向における位置を研修可能である。
【０１３９】
図２８は、本発明に第３実施形態に基づく有機薄膜太陽電池モジュールを示している。本実施形態の有機薄膜太陽電池モジュールＡ３は、有機薄膜太陽電池モジュールＡ１の構成に加えて、絶縁層４０４、第２検出導電層１０２０および第２検出バイパス導電部５０２０を備えている。
【０１４０】
絶縁層４０４は、保護樹脂層４５Ａ（第１検出導電層１０１０）および第２保護樹脂層４６（第１導電層１、第２導電層２および光電変換層３）を覆うように設けられている。絶縁層４０４は、たとえば透明な樹脂材料からなる。絶縁層４０４は、絶縁層主面４０４０を有する絶縁層主面４０４０は、支持基板４１の主面４１０と同じ側を向く面である。第２検出導電層１０２０および第２検出バイパス導電部５０２０は、絶縁層主面４０４０上に形成されている。
【０１４１】
このような構成によっても、有機薄膜太陽電池モジュールＡ３は、タッチパネルの機能を担いつつ、その薄型化を図ることができる。また、有機薄膜太陽電池モジュールＡ３によれば、有機薄膜太陽電池モジュールＡ３のみによって、指のｘ方向およびｙ方向における位置を研修可能である。
【０１４２】
本発明に係る有機薄膜太陽電池モジュールおよび電子機器は、上述した実施形態に限定されるものではない。本発明に係る有機薄膜太陽電池モジュールおよび電子機器の各部の具体的な構成は、種々に設計変更自在である。
【符号の説明】
【０１４３】
Ａ１〜Ａ３      ：有機薄膜太陽電池モジュール
Ｂ１      ：電子機器
１        ：第１導電層
２        ：第２導電層
３        ：光電変換層
３Ａ      ：有機膜
４        ：保護樹脂層
５        ：バイパス導電部
１０      ：第１導電膜
１１      ：第１電極部
１３      ：接続部
１７      ：スリット
１８      ：開口
２１      ：第２電極部
２８      ：開口
３０      ：非発電領域
３１      ：発電領域
３５      ：意匠表示部
３８      ：開口
４１      ：支持基板
４２      ：パッシベーション層
４２Ａ    ：パッシベーション層
４５      ：第１保護樹脂層
４５Ａ    ：保護樹脂層
４６      ：第２保護樹脂層
５１      ：バスバー部
５２      ：連絡部
６１      ：ケース
１０１    ：第３端縁
１０２    ：第３内方退避端縁
１０３    ：第２延出部
１０４    ：第１延出部
１０５    ：第３外方端縁
１３１    ：接続部端縁
１３２    ：接続延出部
１７１    ：両端
１８１    ：表示用開口
１９３    ：スリット
２０１    ：第４内方退避端縁
２０２    ：第４外方退避端縁
３０１    ：第５内方退避端縁
３０２    ：第５外方退避端縁
３５０    ：意匠表示用貫通部
３５１    ：導通用貫通部
４０２    ：第２支持基板
４０３    ：接合層
４０４    ：絶縁層
４１０    ：主面
４１１    ：露出領域
４２０    ：絶縁膜
４２１    ：第１端縁
４２２    ：第１外方端縁
４５１    ：第２端縁
４５２    ：第２外方端縁
４５８    ：開口
４６１    ：第６端縁
４６２    ：第６外方端縁
４６８    ：開口
５１１    ：第７端縁
５１２    ：第７外方端縁
５１３    ：第１バスバー部
５１４    ：第２バスバー部
５３１    ：第１集極部
５３２    ：第２集極部
７０１    ：制御部
７０２    ：表示部
７０３    ：入力部
７０４    ：マイク
７０５    ：スピーカ
７０６    ：無線通信部
７０７    ：バッテリ
１０１０  ：第１検出導電層
１０１１  ：第１枝部
１０２０  ：第２検出導電層
１０２１  ：第２枝部
４０２０  ：第２主面
４０４０  ：絶縁層主面
５０１０  ：第１検出バイパス導電部
５０１１  ：第１端子部
５０２０  ：第２検出バイパス導電部
５１４１  ：迂回部
【図１】
2017220481.tif 000003
【図２】
2017220481.tif 000004
【図３】
2017220481.tif 000005
【図４】
2017220481.tif 000006
【図５】
2017220481.tif 000007
【図６】
2017220481.tif 000008
【図７】
2017220481.tif 000009
【図８】
2017220481.tif 000010
【図９】
2017220481.tif 000011
【図１０】
2017220481.tif 000012
【図１１】
2017220481.tif 000013
【図１２】
2017220481.tif 000014
【図１３】
2017220481.tif 000015
【図１４】
2017220481.tif 000016
【図１５】
2017220481.tif 000017
【図１６】
2017220481.tif 000018
【図１７】
2017220481.tif 000019
【図１８】
2017220481.tif 000020
【図１９】
2017220481.tif 000021
【図２０】
2017220481.tif 000022
【図２１】
2017220481.tif 000023
【図２２】
2017220481.tif 000024
【図２３】
2017220481.tif 000025
【図２４】
2017220481.tif 000026
【図２５】
2017220481.tif 000027
【図２６】
2017220481.tif 000028
【図２７】
2017220481.tif 000029
【図２８】
2017220481.tif 000030